【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
大豆タンパク質または大豆タンパク質とリグニンの混合物；
大豆タンパク質の少なくとも1つの官能基と反応することができる、アミン、アミド、イミン、イミド、または含窒素複素環官能基を少なくとも1つ含む実質的にホルムアルデヒドフリーの少なくとも1つの硬化剤；
ホウ素化合物、IA族酸化物もしくは水酸化物、またはIIA族酸化物もしくは水酸化物から選択される少なくとも1つの化合物
を含む、接着剤組成物。
【請求項２】
実質的にホルムアルデヒドフリーである、請求項1記載の組成物。
【請求項３】
ホウ素化合物、IA族酸化物もしくは水酸化物、またはIIA族酸化物もしくは水酸化物の少なくとも1つを組成物の乾燥重量に対して約0.5重量％〜約10重量％含む、請求項1記載の組成物。
【請求項４】
ホウ素化合物が、ホウ酸、ホウ素塩、またはホウ酸エステルから選択される、請求項1記載の組成物。
【請求項５】
ホウ素化合物が、ホウ酸ナトリウム、水素化ホウ素ナトリウム、または四ホウ酸ナトリウムを含む、請求項1記載の組成物。
【請求項６】
硬化剤が、エポキシドとポリアミン樹脂の反応生成物、エポキシドとポリアミドアミン樹脂の反応生成物、またはエポキシドとポリアミド樹脂の反応生成物である、請求項1記載の組成物。
【請求項７】
硬化剤がポリアルキレンポリアミン-エピハロヒドリン樹脂を含む、請求項1記載の組成物。
【請求項８】
硬化剤が、エピクロロヒドリンとエチレンジアミン、ビス-ヘキサメチレントリアミン、またはヘキサメチレンジアミンの反応生成物を含む、請求項7記載の組成物。
【請求項９】
大豆タンパク質が大豆粉を含み、かつ硬化剤が、エピクロロヒドリンとエチレンジアミン、ビス-ヘキサメチレントリアミン、またはヘキサメチレンジアミンの反応生成物を含む、請求項5記載の組成物。
【請求項１０】
組成物の乾燥重量に対して約2重量％〜約30重量％の少なくとも1つの硬化剤を含む、請求項3記載の組成物。
【請求項１１】
大豆タンパク質、少なくとも1つの硬化剤、および少なくとも1つの化合物の反応生成物を含む、請求項1記載の組成物。
【請求項１２】
少なくとも1つの化合物が、水酸化ナトリウム、水酸化カリウム、水酸化カルシウム、または酸化カルシウムから選択される、請求項1記載の組成物。
【請求項１３】
少なくとも1つの化合物が、水酸化ナトリウム、水酸化カリウム、水酸化カルシウム、または酸化カルシウムから選択される、請求項8記載の組成物。
【請求項１４】
大豆タンパク質または大豆タンパク質とリグニンの混合物；
アミン、アミド、イミン、イミド、または含窒素複素環官能基を少なくとも1つ含む実質的にホルムアルデヒドフリーの少なくとも1つの硬化剤；
ホウ素化合物、IA族酸化物もしくは水酸化物、またはIIA族酸化物もしくは水酸化物から選択される少なくとも1つの化合物
を一緒に混合する段階を含む、接着剤組成物を製造する方法。
【請求項１５】
大豆タンパク質、リグニン、またはそれらの混合物の少なくとも1つから選択される第1の成分；および
エピクロロヒドリンとエチレンジアミンの反応生成物、エピクロロヒドリンとビス-ヘキサメチレントリアミンの反応生成物、またはエピクロロヒドリンとヘキサメチレンジアミンの反応生成物から選択される、実質的にホルムアルデヒドフリーの少なくとも1つの硬化剤
を含む、接着剤組成物。
【請求項１６】
実質的にホルムアルデヒドフリーである、請求項15記載の組成物。
【請求項１７】
組成物の乾燥重量に対して、約2重量％〜約30重量％の硬化剤を含む、請求項15記載の組成物。
【請求項１８】
第1の成分が大豆タンパク質である、請求項15記載の組成物。
【請求項１９】
大豆タンパク質が大豆粉を含む、請求項18記載の組成物。
【請求項２０】
第1の成分と少なくとも1つの硬化剤の反応生成物を含む、請求項15記載の組成物。
【請求項２１】
第1の成分がリグニンである、請求項15記載の組成物。
【請求項２２】
大豆タンパク質、リグニン、またはそれらの混合物から選択される第1の成分；および
エピクロロヒドリンとエチレンジアミンの反応生成物、エピクロロヒドリンとビス-ヘキサメチレントリアミンの反応生成物、またはエピクロロヒドリンとヘキサメチレンジアミンの反応生成物から選択される実質的にホルムアルデヒドフリーの少なくとも1つの硬化剤
を一緒に混合する段階を含む、接着剤組成物を製造する方法。
【請求項２３】
(i)大豆タンパク質、(ii)大豆タンパク質の少なくとも1つの官能基と反応することができるアミン、アミド、イミン、イミド、または含窒素複素環官能基を少なくとも1つ含む実質的にホルムアルデヒドフリーの少なくとも1つの硬化剤、および(iii)ホウ素化合物、IA族酸化物もしくは水酸化物、またはIIA族酸化物もしくは水酸化物から選択される少なくとも1つの化合物を含む接着剤組成物を少なくとも1つのリグノセルロース基板に塗布する段階；および
接着剤を塗布したリグノセルロース基板を少なくとも1つの他のリグノセルロース基板に接着する段階
を含む、リグノセルロース複合体を製造する方法。
【請求項２４】
接着する段階が、接着剤を塗布したリグノセルロース基板と他のリグノセルロース基板の集成物に熱および圧力をかける段階を含む、請求項23記載の方法。
【請求項２５】
リグノセルロース基板が粉砕した木材粒子を含み、
約1〜約12重量パーセントの接着剤組成物と粉砕した木材粒子の混合物をブレンドする段階であって、重量パーセントは接着剤組成物と粉砕した木材粒子を合わせた重量に対してである段階；
接着剤/木材粒子ブレンドを所定の形状に成形する段階；および
成形したブレンドに熱および圧力をかける段階
を含む、請求項23記載の方法。
【請求項２６】
リグノセルロース基板が木製単板基板を含み、
接着剤組成物を木製単板基板の少なくとも1つの表面に塗布する段階；
接着剤を塗布した木製単板基板の集成物を形成する段階；および
集成物に熱および圧力をかける段階
を含む、請求項23記載の方法。
【請求項２７】
少なくとも1つの化合物がホウ酸、ホウ素塩、ホウ酸エステル、水酸化ナトリウム、水酸化カリウム、水酸化カルシウム、または酸化カルシウムから選択され、硬化剤が、エピクロロヒドリンとエチレンジアミン、ビス-ヘキサメチレントリアミン、またはヘキサメチレンジアミンの反応生成物を含む、請求項23記載の方法。
【請求項２８】
(i)大豆タンパク質、リグニン、またはそれらの混合物から選択される第1の成分、および(ii) エピクロロヒドリンとエチレンジアミンの反応生成物、エピクロロヒドリンとビス-ヘキサメチレントリアミンの反応生成物、またはエピクロロヒドリンとヘキサメチレンジアミンの反応生成物から選択される実質的にホルムアルデヒドフリーの少なくとも1つの硬化剤を含む接着剤組成物を少なくとも1つのリグノセルロース基板に塗布する段階；および
接着剤を塗布したリグノセルロース基板を少なくとも1つの他のリグノセルロース基板に接着する段階
を含む、リグノセルロース複合体を製造する方法。
【請求項２９】
接着する段階が、接着剤を塗布したリグノセルロース基板と他のリグノセルロース基板の集成物に熱および圧力をかける段階を含む、請求項28記載の方法。
【請求項３０】
リグノセルロース基板が粉砕した木材粒子を含み、
約1〜約12重量パーセントの接着剤組成物と粉砕した木材粒子の混合物をブレンドする段階であって、重量パーセントは接着剤組成物と粉砕した木材粒子を合わせた重量に対してである段階；
接着剤/木材粒子ブレンドを所定の形状に成形する段階；および
成形したブレンドに熱および圧力をかける段階
を含む、請求項28記載の方法。
【請求項３１】
リグノセルロース基板が木製単板基板を含み、
接着剤組成物を木製単板基板の少なくとも1つの表面に塗布する段階；
接着剤を塗布した木製単板基板の集成物を形成する段階；および
集成物に熱および圧力をかける段階
を含む、請求項28記載の方法。
【請求項３２】
請求項23記載の方法により製造されるリグノセルロース複合体。
【請求項３３】
請求項28記載の方法により製造されるリグノセルロース複合体。